(57)【特許請求の範囲】
【請求項１】
収納部を有するバッグ本体に、ショルダーベルトがループ状に取り付けられ、
前記バッグ本体は、幼児の臀部を支える座部を有し、
使用者が前記ショルダーベルトを肩に掛けた状態で、幼児を支持することができる抱っこ機能付きショルダーバッグであって、
両端部が前記ショルダーベルトに支持されて、前記バッグ本体に着脱可能に取り付けられる保持バンドと、
前記保持バンドに設けられた背当て部材とを更に備え、
前記背当て部材は、前記保持バンドを前記バッグ本体から取り外した状態で、幼児の背中に当接させることができ、
前記保持バンドを前記バック本体に取り付けた状態で、使用者が前記ショルダーベルトを肩に掛けて前記バッグ本体を背中側に位置させると、前記保持バンドが備える前記背当て部材により前記バッグ本体が持ち上げられた状態になり、前記バッグ本体を使用者の体にフィットさせることができる抱っこ機能付きショルダーバッグ。
【請求項２】
前記背当て部材は、前記保持バンドに沿って移動可能とされている請求項１に記載の抱っこ機能付きショルダーバッグ。
【請求項３】
前記バッグ本体は、前記座部の縁部を補強する補強材を備える請求項１または２に記載の抱っこ機能付きショルダーバッグ。
【請求項４】
前記バッグ本体に取り付けられて前記収納部に収納可能な装着ベルトを更に備え、
前記装着ベルトは、前記収納部から取り出して使用者の腰部に巻き付けることができる請求項１から３のいずれかに記載の抱っこ機能付きショルダーバッグ。
【発明の詳細な説明】
【技術分野】
【０００１】
本発明は、抱っこ機能付きショルダーバッグに関する。
【背景技術】
【０００２】
従来のショルダーバッグとして、使用者がショルダーベルトを肩に掛けた状態で、幼児を支持することができる抱っこ機能付きの構成が知られている。例えば図７に示すように、特許文献１に開示されたバッグ５０は、バッグ本体５１に幼児が腰掛けることができるように構成されており、幼児を抱っこする際には、バック本体５１の留め具５２を、ショルダーベルト５３の第１の留め具５４から取り外して、ショルダーベルト５３の第２の留め具５５に装着する。これにより、使用者Ｕとバッグ本体５１との間に隙間が形成され、幼児Ｉがバッグ本体５１に腰掛け可能になると共に、バッグ本体５１のループ５１ａから引き抜いた保持ベルト５６により幼児Ｉの背中を保持することができる。
【先行技術文献】
【特許文献】
【０００３】
【特許文献１】特開２０１３−５６１号公報
【発明の概要】
【発明が解決しようとする課題】
【０００４】
ところが、上述した従来のバッグ５０は、幼児Ｉを抱っこする際に、バッグ本体５１を装着するショルダーベルト５３側の留め具を、第１の留め具５４から第２の留め具５５に変更する必要があると共に、幼児Ｉの背中を保持するために、保持ベルト５６をバッグ本体５１から引き抜いて幼児Ｉの背中側で装着する必要があることから、これら一連の作業が煩雑になり易いという問題があった。
【０００５】
そこで、本発明は、幼児の抱っこを容易且つ確実に行うことができる抱っこ機能付きショルダーバッグの提供を目的とする。
【課題を解決するための手段】
【０００６】
本発明の前記目的は、収納部を有するバッグ本体に、ショルダーベルトがループ状に取り付けられ、前記バッグ本体は、幼児の臀部を支える座部を有し、使用者が前記ショルダーベルトを肩に掛けた状態で、幼児を支持することができる抱っこ機能付きショルダーバッグであって、両端部が前記ショルダーベルトに支持されて、前記バッグ本体に着脱可能に取り付けられる保持バンドと、前記保持バンドに設けられた背当て部材とを更に備え、前記背当て部材は、前記保持バンドを前記バッグ本体から取り外した状態で、幼児の背中に当接させることができ、前記保持バンドを前記バック本体に取り付けた状態で、使用者が前記ショルダーベルトを肩に掛けて前記バッグ本体を背中側に位置させると、前記保持バンドが備える前記背当て部材により前記バッグ本体が持ち上げられた状態になり、前記バッグ本体を使用者の体にフィットさせることができる抱っこ機能付きショルダーバッグにより達成される。
【０００７】
この抱っこ機能付きショルダーバッグにおいて、前記背当て部材は、前記保持バンドに沿って移動可能とされていることが好ましい。
【０００８】
また、前記バッグ本体は、前記座部の縁部を補強する補強材を備えることが好ましい。
【０００９】
また、前記バッグ本体に取り付けられて前記収納部に収納可能な装着ベルトを更に備えることが好ましく、前記装着ベルトは、前記収納部から取り出して使用者の腰部に巻き付けることができる。
【発明の効果】
【００１０】
本発明の抱っこ機能付きショルダーバッグによれば、幼児の抱っこを容易且つ確実に行うことができる。
【図面の簡単な説明】
【００１１】
【図１】本発明の一実施形態に係る抱っこ機能付きショルダーバッグの斜視図である。
【図２】前記抱っこ機能付きショルダーバッグの要部側面図である。
【図３】前記抱っこ機能付きショルダーバッグの使用例を説明するための要部側面図である。
【図４】前記抱っこ機能付きショルダーバッグの他の使用例を説明するための要部側面図である。
【図５】前記抱っこ機能付きショルダーバッグを通常のバッグとして使用する場合の一例を示す使用者の背面図である。
【図６】前記抱っこ機能付きショルダーバッグを用いて幼児を抱っこする場合の一例を示す使用者の正面図である。
【図７】従来の抱っこ機能付きショルダーバッグの使用状態を示す図である。
【発明を実施するための形態】
【００１２】
以下、本発明の実施の形態について、添付図面を参照して説明する。図１は、本発明の一実施形態に係る抱っこ機能付きショルダーバッグの斜視図である。図１に示すように、抱っこ機能付きショルダーバッグ１は、収納部１１を有するバッグ本体１０に、ショルダーベルト２０がループ状に取り付けられて構成されており、ショルダーベルト２０を片方の肩に掛けてバッグ本体１０を持参することができる。ショルダーベルト２０には筒状のパッド２１が移動可能に設けられている。
【００１３】
バッグ本体１０は、細長状に形成されて、長手方向の両側に耳部１２，１３を備えており、それぞれの耳部１２，１３にショルダーベルト２０の端部が固定されている。一方の耳部１２の表面側には、摘み部材１４が回動自在に設けられている。
【００１４】
図２は、図１に示す抱っこ機能付きショルダーバッグ１の要部側面図である。図２に示すように、バッグ本体１０の収納部１１は２つに分割されており、ファスナーのスライダー１１ａ，１１ｂを操作することにより、個別に開閉可能とされている。バッグ本体１０の裏面側には、クッション性を有する座部１６が、面ファスナーなどにより着脱可能に取り付けられている。座部１６は、バッグ本体１０の長手方向に沿って延びる矩形平板状に形成されており、幼児の臀部を支えることができる。座部１６の長手方向の両端部には、それぞれポケット１６ａ，１６ａが設けられており、金属等の硬質材料からなる直棒状の補強材１６ｂの両端部が収容される。補強材１６ｂは、座部１６の左右の長辺に沿って配置され、収納部１１と座部１６との間に介在されることで、座部１６の縁部を補強する。
【００１５】
図１および図２に示すように、バッグ本体１０の外面側には、背当て部材３４が設けられた保持バンド３０が取り付けられている。保持バンド３０は、ラダー３１により長さ調節可能とされており、一端部がショルダーベルト２０の一方側に設けられた取付金具２２に取り付けられる一方、他端部が金属リング３３を介してショルダーベルト２０の他端部に固定されている。取付金具２２は、ショルダーベルト２０に固定されていてもよく、あるいは、ショルダーベルト２０に沿って移動可能に取り付けて、ショルダーベルト２０に対する保持バンド３０の取り付け位置を調整可能に構成してもよい。また、ショルダーベルト２０は、ラダー２３およびリング状の金具２４を備えており、ラダー２３の操作によって長さ調整可能に構成されている。
【００１６】
保持バンド３０は、適宜の位置に形成された楕円状の取付孔３２に、バッグ本体１０の摘み部材１４を挿入して９０度回動させることにより、バッグ本体１０の表面側に取り付けることができる。背当て部材３４は、表面側にループ状の挿通部３５，３６が設けられており、挿通部３５，３６に保持バンド３０が挿通されることにより、背当て部材３４が保持バンド３０に沿って移動可能に支持される。
【００１７】
保持バンド３０は、バッグ本体１０の摘み部材１４を回動させて取付孔３２の向きに合わせることにより、図３に示すように、バッグ本体１０から取り外すことができる。バッグ本体１０と保持バンド３０とを着脱させる手段としては、必ずしも本実施形態の構成に限定されず、例えば、フック、カラビナ、コネクタなど他の手段であってもよい。
【００１８】
図４に示すように、バッグ本体１０の２つに分割された収納部１１の一方には、装着ベルト４０が収容されている。装着ベルト４０は、収納部１１の内部に基端部が固定された一対のベルト部材４１，４２を有している。一対のベルト部材４１，４２の先端部には、互いに着脱可能に連結される連結部４１ａ，４２ａが設けられており、一対のベルト部材４１，４２を使用者の腰部に巻き付けて連結部４１ａ，４２ａ同士を連結することにより、バッグ本体１０を腰部に保持することができる。
【００１９】
上記の構成を備える抱っこ機能付きショルダーバッグ１は、通常のショルダーバッグとして使用する場合には、図１および図２に示すように、保持バンド３０をバッグ本体１０に装着する。保持バンド３０は、背当て部材３４を備えているため、バッグ本体１０の表面側の広い範囲を保持バンド３０で保持することができる。したがって、図５に示すように、使用者Ｕがショルダーベルト２０を肩に掛けてバッグ本体１０を背中側に位置させると、バッグ本体１０が保持バンド３０により持ち上げられた状態になり、バッグ本体１０を使用者Ｕの体にフィットさせることができる。保持バンド３０の長さは、使用者Ｕの体型等に応じてバッグ本体１０の適度なフィット感が得られるように、ラダー３１により適宜調整することができる。
【００２０】
一方、幼児Ｉを抱っこする必要が生じた場合には、図３に示すように、バッグ本体１０から保持バンド３０を取り外した後、ショルダーベルト２０を肩に掛けたまま、バッグ本体１０を使用者の正面側に移動させる。保持バンド３０が外れることによって、バッグ本体１０は、ショルダーベルト２０の弛みにより、幼児Ｉが通過可能な隙間が形成されると共に、座部１６が上方に向くように配置されるので、図６に示すように、幼児Ｉを使用者Ｕと向き合うように座部１６に座らせることができる。また、保持バンド３０の一端側を支持するショルダーベルト２０の取付金具２２を、使用者Ｕの肩部近傍に位置させることにより、保持ベルト３０は、使用者Ｕの正面側でタスキ状に配置されるので、座部１６に座った幼児Ｉの背中に確実に当接させて保持することができる。このように、本実施形態の抱っこ機能付きショルダーバッグ１は、簡単な操作のみで、幼児の抱っこを容易且つ確実に行うことができる。ショルダーベルト２０の長さは、保持バンド３０の取り外しによって使用者Ｕとバッグ本体１０との間に適度な隙間が形成されるように、予めラダー２３によって適度な長さに調整しておくことが好ましい。
【００２１】
また、幼児を抱っこする際には、バッグ本体１０を使用者の正面に移動させた状態で、図４に示すように装着ベルト４０を収納部１１から取り出し、使用者の腰部に巻き付けることが好ましい。これにより、使用者Ｕとバッグ本体１０との間に過度な隙間が生じるおそれがなく、幼児Ｉをより確実に支持することができる。
【符号の説明】
【００２２】
１  抱っこ機能付きショルダーバッグ
１０  バッグ本体
１１  収納部
１６  座部
１６ａ  補強材
２０  ショルダーベルト
３０  保持バンド
３４  背当て部材
４０  装着ベルト
【図１】
0005921620.tif 000002
【図２】
0005921620.tif 000003
【図３】
0005921620.tif 000004
【図４】
0005921620.tif 000005
【図５】
0005921620.tif 000006
【図６】
0005921620.tif 000007
【図７】
0005921620.tif 000008